Podtech/llm-jp-corpus-v4-ja_patent huggingface dataset:
(57)【要約】      （修正有）【課題】ボウル内側底部に金網、外側底部に着脱自在の外蓋を設けることで、ボウルと笊の機能を持たせて複数器具を置くスペースを省き、作業効率を高めた多機能ボウルを提供する。【解決手段】ボウル１の内側底部に金網２を設けてボウル内で裏漉ができるようにし、ボウルの外側底部には外側支持金具３と外蓋４を設け、それぞれに外蓋固定用突起５および外蓋固定用切込み６をつけることで、外蓋を外側支持金具に被せてボウルと笊の機能を一体化した。【選択図】図４
0003227058.tif 000002
【実用新案登録請求の範囲】
【請求項１】
ボウルの内側底部に開口部を設けて笊の機能を持たせる金網を取り付けるとともに外側底部に着脱自在の外蓋を設けた多機能ボウル
【考案の詳細な説明】
【技術分野】
【０００１】  本考案は内側底部に金網を外側底部に外蓋を設けたボウルに関するものである。
【背景技術】
【０００２】  裏漉しや食材を洗浄する笊とボウルは別個のものであった。
【考案の概要】
【考案が解決しようとする課題】
【０００３】  食材の洗浄、水切りはボウルまたは笊、食材の裏漉しは笊と使い分けられているが、別々に保管するのは余分なスペースが必要である。さらに笊で裏漉しをすると食材が笊の周辺に付着し作業効率が悪い。
【課題を解決するための手段】
【０００４】  本考案はボウルの内側底部に開口部を設けて笊の機能を持たせる金網を取り付けるとともに外側底部に着脱自在の外蓋を設けた多機能ボウルを提供することである。
【考案の効果】
【０００５】  水を溜めることができるので、食材を洗浄した上で外蓋を外して水切りができる。裏漉しの場合、ボウルの内側に付着した食材を底面の金網部分に向け、掻き落とすことで作業効率が高まり、ボウルと笊の機能を一体化した容器により食材の洗浄、水切り及び濾す作業がそれぞれの容器に移すことなく同時に処理できる。
【図面の簡単な説明】
【０００６】
【図１】本考案の多機能ボウルの平面図である。
【図２】本考案の多機能ボウルの側面図である。
【図３】本考案の多機能ボウルの断面図である。
【図４】本考案の多機能ボウルの実施例を示す斜視図である。
【考案を実施するための形態】
【０００７】  ボウル底部にボウル外蓋支持金具を設け、外蓋固定用突起を１８０度反対の位置に２か所取り付ける。外蓋に、外蓋固定用突起に対応する開口部の幅を突起の幅に合わせた逆Ｌ字型の外蓋固定用切込みを設ける。外蓋固定用切込み開口部を特区部に合わせて押し込み右回しにすると外蓋はボウルに固定される。外蓋を外すときは外蓋を左回しにすればボウルから外れる。
【実施例】
【０００８】  食材を洗浄、水切りする場合は、外蓋を付けた状態でボウル内に溜まった水で洗浄してから外蓋を外して水切りをするか、外蓋をはずした状態で水を流しながら洗浄して水切りをする。食材を裏漉しする場合は、外蓋を外した状態で下に容器を置き裏漉しした食材をその容器内に溜め、食材の量が少ない場合は外蓋を付けた状態で裏漉しした食材を外蓋内に溜める。
【符号の説明】
【０００９】１  ボウル
２  金網
３  ボウル外側支持金具
４  外蓋
５  外蓋固定用突起
６  外蓋固定用切込み
【図１】
0003227058.tif 000003
【図２】
0003227058.tif 000004
【図３】
0003227058.tif 000005
【図４】
0003227058.tif 000006
(57)【要約】      （修正有）【課題】ペットボトルを使わず、両手もふさがらず安全に作業効率をよくする４個口ペンキ用下げ缶カートリッジ２Ｌ容器を提供する。【解決手段】１４５ｍｍ幅１７５ｍｍ厚み０．３ｍｍの円形状プラスチック容器に、４個口の仕切りを設け、仕切り上部に切取りを設けた。【選択図】図１
0003227055.tif 000002
【実用新案登録請求の範囲】
【請求項１】
高さ１４５ｍｍ幅１７５ｍｍ厚み０．３ｍｍの円形状プラスチック容器に、４個口の仕切りを設け、仕切り上部に切取りを設けた４個口ペンキ用下げ缶カートリッジ
0003227055.tif 000005
【考案の詳細な説明】
【技術分野】
【０００１】高さ１４５ｍｍ幅１７５ｍｍ厚み０．３ｍｍの円形状プラスチック容器に、４個口の仕切りを設け、仕切り上部に切取りを設けた４個口ペンキ用
0003227055.tif 000003
【背景技術】
【０００２】従来タッチアップをするときに数種類のペンキの入った下げ缶を持っていくか、ペットボトルを半分に切って数種類のペンキを持っていくかでした。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】数種類のペンキを持って足場を歩く危険性、ペットボトルのリサイクルができなくなる。
【課題を解決するための手段】
【０００６】高さ１４５ｍｍ幅１７５ｍｍ厚み０．３ｍｍの円形状プラスチック容器に、４個口の仕切りを設け、仕切り上部に切取りを設けた４個口ペ
0003227055.tif 000004
【考案の効果】
【０００７】作業の安全性、ペットボトルの消費をなくす。作業効率をよくする。
余ったペンキを缶に戻すとき他のペンキと混ざらない用切り取って１個ずつ戻せる。
【図面の簡単な説明】
【０００８】▲１▼プラスチック容器に▲２▼４個口仕切りを設け▲３▼、切取りを設ける。
【考案を実施するための形態】
【０００９】
【実施例】
【００１０】
【産業上の利用可能性】
【００１１】
【符号の説明】
【００１２】▲１▼、プラスチック容器  ▲２▼、４個口仕切り  ▲３▼、切取り
【図１】
0003227055.tif 000006
【図２】
0003227055.tif 000007
【手続補正書】
【提出日】令和2年5月21日(2020.5.21)
【手続補正２】
【補正対象書類名】明細書
【補正対象項目名】０００８
【補正方法】変更
【補正の内容】
【０００８】
【図１】  ４個口タッチアップカートリッジの平面図
【図２】  ４個口タッチアップカートリッジの立面図
(57)【要約】      （修正有）【課題】一般家庭で使用する手動式の安全かつ小型で耐久性のある空き缶圧縮機を提供する。【解決手段】圧縮ヘッド３の下に空き缶を、切り欠きの巾が空き缶１３と同じで、下側排出部は圧縮された空き缶１３がスムーズに落ちるように少しだけ広げた形状を施した垂直設置タイプ本体シリンダー１にセットして、圧縮ヘッド３に接続リンク６及び圧縮シャフト４を介して接続された操作レバー５を下方に倒すと圧縮ヘッド３が空き缶１３を圧縮し、操作レバー５を上方に戻すと空き缶１３の下に配置され、リターンスプリング９を介してシリンダー１に接続された排出用可動プレート８がリターンスプリング９により斜めに戻り、これにより圧縮された空き缶１３が下側排出部から滑り落ちる構造である。【選択図】図１
0003227009.tif 000002
【実用新案登録請求の範囲】
【請求項１】
圧縮ヘッドの下に空き缶を、切り欠きの巾が空き缶と同じで、下側排出部は圧縮された空き缶がスムーズに落ちるように少しだけ広げた形状を施した垂直設置タイプ本体シリンダーにセットして、操作レバーを下方に倒すと圧縮ヘッドが空き缶を圧縮し、操作レバーを上方に戻すと排出用可動プレートがリターンスプリングにより斜めに戻り、これにより圧縮された空き缶が滑り落ちる構造であり、この時使用者は腕力と体重により容易に圧縮出来る空き缶圧縮機。
【請求項２】
圧縮ヘッドの前に空き缶を水平設置タイプ本体シリンダーにセットして操作レバーを倒すと圧縮ヘッドが空き缶を圧縮し、操作レバーを元に戻すと排出用開口部より圧縮された空き缶は自然落下し、この時使用者は腕力と体重により容易に圧縮出来る空き缶圧縮機。
【考案の詳細な説明】
【技術分野】
【０００１】  本考案は、空き缶に垂直に圧力を加えて、比較的小さな力で容易に圧縮し、手動でその容積を減少させることを目的とした空き缶圧縮機に関するものである。
【背景技術】
【０００２】  従来、手動式、足踏み式、電動式の空き缶圧縮機があるが、本考案では電源のない環境でも使用可能な低コストで耐久性にも優れた構造に特に考慮したものである。
【考案の開示】
【考案が解決しようとする課題】
【０００３】  一般家庭で使用する手動式の安全かつ小型で耐久性のある空き缶圧縮機が見当たらない．【０００４】  本考案は、このような課題を解決し、安全で、低コストで、信頼性に優れた手動式の空き缶圧縮機を提供することを目的とする。
【課題を解決するための手段】
【０００５】  圧縮ヘッドの下に空き缶を垂直設置タイプ本体シリンダーにセットして操作レバーを下方に倒すと圧縮ヘッドが空き缶を圧縮し、操作レバーを上方に戻すと排出用可動プレートがリターンスプリングにより斜めに戻り、これにより圧縮された空き缶が滑り落ちる構造とした。本体切り欠きの巾は空き缶保持のため空き缶と同じで、下側排出部は圧縮された空き缶がスムーズに排出するように少しだけ広げてあります。
【考案の効果】
【０００６】  主にアルミ缶を手動で簡単に圧縮して容量を少なくして保管することを目的にした装置です。具体的な例では３５０／５００ｃｃの缶ビールなら厚さ３０ｍｍ程に圧縮出来ます。本考案では使用環境に応じて垂直設置と水平設置の２タイプを提案しています。両タイプとも腕力以外に体重も利用して容易に空き缶を圧縮出来き、連続で作業が出来る様に垂直設置タイプでは、圧縮した缶は自動で圧縮機から排出する構造にしてあります。水平設置タイプでは排出用開口部から自然落下します。
【図面の簡単な説明】
【図１】  本考案の垂直設置タイプの一実施例を示す斜視図である。
【図２】  本考案の垂直設置タイプの排出構造を示す側面図である。
【図３】  本考案の水平設置タイプの本体シリンダーの構造を示す斜視図である。尚、他の構成部品（符号３．４．５．６．７）は垂直設置タイプと同一であるので省略する。
【符号の説明】１    垂直設置タイプの本体シリンダー
２    設置用ステー
３    圧縮ヘッド
４    圧縮シャフト
５    操作レバー
６    接続リンク
７    シャフトガイド
８    排出用可動プレート
９    リターンスプリング
１０  水平設置タイプの本体シリンダー
１１  操作レバー取付用ボルト
１２  排出用開口部
１３  空き缶
【図１】
0003227009.tif 000003
【図２】
0003227009.tif 000004
【図３】
0003227009.tif 000005
【手続補正書】
【提出日】令和2年3月25日(2020.3.25)
【手続補正１】
【補正対象書類名】実用新案登録請求の範囲
【補正対象項目名】全文
【補正方法】変更
【補正の内容】
【実用新案登録請求の範囲】
【請求項１】
圧縮ヘッドの下に空き缶を、切り欠きの巾が空き缶と同じで、下側排出部は圧縮された空き缶がスムーズに落ちるように少しだけ広げた形状を施した垂直設置タイプ本体シリンダーにセットして、前記圧縮ヘッドに接続リンク及び圧縮シャフトを介して接続された操作レバーを下方に倒すと圧縮ヘッドが空き缶を圧縮し、操作レバーを上方に戻すと前記空き缶の下に配置され、リターンスプリングを介して前記シリンダーに接続された排出用可動プレートがリターンスプリングスプリングにより斜めに戻り、これにより圧縮された空き缶が前記下側排出部から滑り落ちる構造であり、この時使用者は腕力と体重により容易に圧縮出来る空き缶圧縮機。
【請求項２】
圧縮ヘッドの前に空き缶を水平設置タイプ本体シリンダーにセットして、前記圧縮ヘッドに接続リンク及び圧縮シャフトを介して接続された操作レバーを倒すと圧縮ヘッドが空き缶を圧縮し、操作レバーを元に戻すと下方に開口する排出用開口部より圧縮された空き缶は自然落下し、この時使用者は腕力と体重により容易に圧縮出来る空き缶圧縮機。
(57)【要約】      （修正有）【課題】太陽光発電パネルを簡単な構成でスマートフォンに設けて、スマートフォン本来の機能を損なうことなく充電して、外部電力からの充電が不能な長時間登山中、長期探索旅行中、長時間停電中等でもバッテリーに充電することが可能になり通信不能となることが極めて少ない、電力自給式のスマートフォンを提供する。【解決手段】スマートフォンにおいて、表面のディスプレイ側及び／又は裏面側に太陽光発電パネル１０２を配置し、太陽光発電パネルの電力送電線１０３をスマートフォンに内設の充電器１０４に連結して電力充電可能にした。【選択図】図１
0003227001.tif 000002
【実用新案登録請求の範囲】
【請求項１】
スマートフォンにおいて、表面のディスプレイ側及び／又は裏面側に太陽光発電パネルを配置し、前記太陽光発電パネルの電力送電線をスマートフォンに内設の充電器に連結して電力充電可能にしたことを特徴とするスマートフォン。
【考案の詳細な説明】
【技術分野】
【０００１】  本考案は、太陽光発電機能を有するスマートフォンに関するものである。
【背景技術】
【０００２】  一般に普及しているスマートフォンは、矩形の本体の表面にディスプレイを配置した、一枚もので、外部からの電力を内設のバッテリーに充電して使用に供している。
このため外部からの充電が不能な長時間登山中、長期探索旅行中、長時間停電中、等でバッテリーの充電容量が無くなると通信不能となる。
このため予備のバッテリーを多量に準備する必要がある。【０００３】  従来は、特許文献１で紹介のように、図４において、折りたたみ式携帯電話及びＰＨＳのキーボード面３、９、液晶ディスプレイ面２、８に加え、液晶ディスプレイ面２、８の裏面かつ太陽電池部１に軸で４で開閉可能な太陽電池面６、７を設け、充電及び充電電池の補助機能を持たせるガラケイに太陽電池プレート６、７を増設して３枚折りの携帯にし、かつ本体に太陽電池専用の充電池をもうけた３枚構造の複雑なものである。
【先行技術文献】
【特許文献】
【０００４】
【特許文献１】実用新案登録第３０１１６９２号公報
【考案の概要】
【考案が解決しようとする課題】
【０００５】  本考案は、太陽光発電パネルを簡単な構成でスマートフォンに設けて、スマートフォン本来の機能を損なうことなく太陽光発電力を充電して、外部電力からの充電が不能な長時間登山中、長期探索旅行中、長時間停電中等でもバッテリーに充電することが可能になり通信不能となることが極めて少ない、電力自給式の太陽光発電機能を有するスマートフォンを提供する
【課題を解決するための手段】
【０００６】  上記課題を満足させる本考案のスマートフォンにおける主な技術構成は、次の（１）〜（６）の通りである。
（１）、スマートフォンにおいて、表面のディスプレイ側及び／又は裏面側に太陽光発電パネルを配置し、前記太陽光発電パネルの電力送電線をスマートフォンに内設の充電器に連結して電力充電可能にしたことを特徴とするスマートフォン。【０００７】  本考案で言うスマートフォンとは、Ｗｅｂブラウジングなどネット利用に主眼をおいた携帯端末で、古くはウィルコムのＷ−ＺＥＲＯ３シリーズ、アップル社から発売されたｉＰｈｏｎｅ（アイフォン）、Ｇｏｏｇｌｅ製のＯＳアンドロイドを搭載したドコモ、ａｕ製のスマートフォン等を言う。【０００８】  また、前記太陽光発電パネルとは、太陽電池をたくさんつなげたもので、いちばん小さな単位を「セル」、そのセルを板状につなげたものを「モジュール」、とか「パネル」とよばれる。前記太陽電池とは太陽の光エネルギーを直接電力に変換する「発電機」の役割をはたし、太陽から地上に降り注ぐ光電子「光エネルギー」がシリコン系、化合物系、有機系などの半導体に照射されると「光起電力効果（ひかりきでんりょくこうか）」とか「光電効果（こうでんこうか）」と呼ばれる現象が起り、電気が起きるもので、燃料を必要としないので、排気ガスやＣＯ２、燃えかす、使用済み燃料の処理なども発生しなく、また、火力発電のようにエンジンやタービンといった稼働部分がないため、故障が発生しにくく信頼性が高く地球環境にやさしい安全でクリーンなエネルギーである。
【考案の効果】
【０００９】  本考案は、前記の優れた作用効果を有する前記太陽光発電パネルを前記スマートフォンに前記の如く設けたので、スマートフォン本来の機能を損なうことなく太陽光発電力を充電して、外部電力からの充電が不能な長時間登山中、長期探索旅行中、長時間停電中等でもバッテリーに充電することが可能になり通信不能となることが極めて少ない。
【図面の簡単な説明】
【００１０】
【図１】本考案の実施例１のスマートフォン１００を示し、表面側から見た斜視説明図である。
【図２】本考案の実施例２のスマートフォン２００を示し、裏面側から見た斜視説明図である。
【図３】本考案の実施例３のスマートフォン３００を示し、（１）は表面側から見た斜視説明図であり、（２）は裏面側から見た斜視説明図である。
【図４】特許文献１にて紹介の従来の携帯電を示す斜視図である。
【考案を実施するための形態】
【００１１】  考案を実施するための形態を図１〜図３に示す実施例により詳細に説明する。
【実施例１】
【００１２】  図１に示す本考案の実施例１のスマートフォン１００は、表面側の矩形のディスプレイ１０１とその周囲に枠状に太陽光発電パネル１０２を配置し、前記太陽光発電パネル１０２の電力送電線１０３をスマートフォンに内設の充電器１０４に連結して電力充電可能にしたものである。
本例は、画面操作の有無に関わらず太陽側に表面側を斜めにあるは直下に向けておけばいつでも充電が可能である。
【実施例２】
【００１３】  図２に示す本考案の実施例２のスマートフォン２００は、背面側に太陽光発電パネル２０１を矩形に配置し、前記太陽光発電パネル２０１の電力送電線２０２をスマートフォンに内設の充電器２０３に連結して電力充電可能にしたものである。
本例は、画面操作の有無に関わらず太陽側に裏側を斜めにあるは直下に向けておけばいつでも充電が可能な利便性がある。
【実施例３】
【００１４】  図３に示す本考案の実施例３のスマートフォン３００は、表面側の矩形のディスプレイ３０１とその周囲にＬ枠状に太陽光発電パネル３０２を配置し（１）、背面に太陽光発電パネル３０３を略Ｐ型に配置し（２）、前記両方の太陽光発電パネル３０２、３０３の電力送電線３０４をスマートフォンに内設の充電器３０５に連結して電力充電可能にしたものである。
本例は、画面操作の有無に関わらず裏側又は表面側を太陽側に向けておけばいつでも充電が可能な利便性に優れている。
【産業上の利用可能性】
【００１５】  本考案は、前述の効果及び実施例に記載の通り優れた作用効果を呈してスマートフォン利用者は勿論、携帯電話産業界への寄与と発展に貢献すること多大なものがある。
【符号の説明】
【００１６】１００、２００、３００：スマートフォン
１０１、３０１：ディスプレイ
１０２、２０１、３０２、３０３：太陽光発電パネル
１０３、２０２、３０４：電力送電線
１０４、２０３，３０５  充電器
【図１】
0003227001.tif 000003
【図２】
0003227001.tif 000004
【図３】
0003227001.tif 000005
【図４】
0003227001.tif 000006
(57)【要約】      （修正有）【課題】保護者にとって持ち運びがしやすく、かつ折り畳みや展開もしやすく収納にも場所を取らない従来のベビーカーよりも格段に利便性の高くなった折り畳み式のベビーカーを提供する。【解決手段】フレームにスライドして折り曲げることのできるヒンジ機構２、３をあしらい、布団のようにＳ字に折り畳めるようにした。さらに車輪の部分も内側に折り込むことができ、最終的には大きめのトートバッグに入れて運べる大きさにまで折り畳めるようにした。【選択図】図５
0003227010.tif 000002
【実用新案登録請求の範囲】
【請求項１】
フレーム部分にスライドして折り曲げる機構を施すことで小さく折り畳むことが可能になった折り畳み式ベビーカー。
【請求項２】
倒すように折り曲げるという１つの動作のみでほぼ折り畳みが完成し、またハンドルを引くように持ち上げるだけで展開が可能な携帯にも使用にも利便性の高い請求項１に記載の折り畳み式ベビーカー。
【考案の詳細な説明】
【技術分野】
【０００１】
本考案は折り畳みができるベビーカーに関するものである。
【背景技術】
【０００２】
ベビーカーは乳児を乗せて移動をすることが可能なものである。
【０００３】
ベビーカーによってベビーキャリア無しで乳児を伴った移動ができるようになるため、保護者はリュックサックを背負ったりすることができるようになったり重量面における負担が軽くなるなどの利点が生じる。
【考案の概要】
【考案が解決しようとする課題】
【０００４】
しかしながら従来のベビーカーのままでは混雑したバスや電車等の公共機関では場所を取り、乗り降りに手間取ったり乗車中に肩身の狭い思いをするということが多かった。
【０００５】
また、旅行等の際は車で目的地まで移動してそこでベビーカーを使って散策するということもある。しかし、大きいベビーカーは車に乗りきらなかったり出し入れに苦労することも少なくない。無理に入れたり出したりしようとしているうちに破損が生じる恐れもある。
【０００６】
本考案は以上のような従来の問題点を解決し、持ち運びという面において利便性の優れたベビーカーを提供することを目的としている。
【課題を解決するための手段】
【０００７】
本考案にかかるベビーカーは要所のフレームが折れるようになっている。また、ハンドル部のスイッチでロックの解除ができ、それ以外の時は折れないようになっている。
【考案の効果】
【０００８】
布団の様にS字型に折り畳んだ後に車輪を倒すように織り込むことが出来る為、幅も厚みも大幅に削ることが可能となっている。
【０００９】
折り畳み方もハンドル部にあるボタンを押した後前に倒すように押していくと自重でフレームが折れて畳まれていく仕様になっている。
【００１０】
逆に元の状態に戻したい場合はハンドルを持ち上げていくと畳まれたフレームが元に戻り固定される。非常に簡単かつ素早く折り畳み、展開ができるので公共の場でも楽に使うことができる。
【００１１】
折り畳んだベビーカーは大きめのトートバッグ程度の鞄であれば入れることもできる為、鞄に入れて肩にかけて運ぶことも可能である。
【００１２】
車にも楽に積め、飛行機での移動の際にも手荷物として持ち込むことも十分可能である。その為、持ち運びにかかる手間だけでなくコストも削減することができる。
【００１３】
不使用時は超小型状態にしておけるため、家で保管する際も全く場所を取らない。車輪を折り込めることで極端な凹凸ができないことにより収納にも困らない。
【００１４】
以上のことから使用者に様々な面で負担をかけず、携帯に適し折り畳みも非常に簡単なべベビーカーの提供を可能にした。
【図面の簡単な説明】
【００１５】
【図１】本考案の全体図
【図２】本考案折畳過程の中盤の図
【図３】本考案折畳過程の終盤の図
【図４】折畳んだ状態の正面図
【図５】本考案のフレームのみの全体図
【考案を実施するための形態】
【００１６】
フレームの２ヵ所にスライドして折り曲げる機構をあしらう。それぞれの機構は互いに逆側に折れるようにしておき、布団を畳む様にS字に折り畳むことができるようにする。
【００１７】
また、ハンドルとハンドルを繋ぐフレームもスライドして折れる構造になっておりS字に折りたたんだ後、外側に出た車輪部分をさらに内側に折り込むことができる。
【符号の説明】
【００１８】
１  ボタン
２  折畳機構１
３  折畳機構２
４  車輪用折畳機構
【図１】
0003227010.tif 000003
【図２】
0003227010.tif 000004
【図３】
0003227010.tif 000005
【図４】
0003227010.tif 000006
【図５】
0003227010.tif 000007
【手続補正書】
【提出日】令和2年5月14日(2020.5.14)
【手続補正１】
【補正対象書類名】実用新案登録請求の範囲
【補正対象項目名】全文
【補正方法】変更
【補正の内容】
【実用新案登録請求の範囲】
【請求項１】
フレーム部分にヒンジ機構を施し、それぞれの方向にフレームを回転させることで小さく折り畳むことが可能になった折り畳みベビーカー。
【請求項２】
ヒンジ機構を複数設け、それぞれの回転方向を逆にすることで１箇所折り曲げるだけで重力に従って半自動的に折り畳むことができ、反対にハンドルを引くように持ち上げるだけで畳まれたフレームが元に戻る携帯にも使用にも利便性の高い請求項１に記載の折り畳み式ベビーカー。
(57)【要約】      （修正有）【課題】便座を上げ下げしやすくする為のトイレの取っ手を提供する。【解決手段】トイレの便座の一端に、接着方法を利用し、トイレの取っ手１を便座２に取り付ける。トイレの取っ手をもって、便座を上げ下げできる為、トイレが使用しやすくなる。【選択図】図２
0003227043.tif 000002
【実用新案登録請求の範囲】
【請求項１】
現在、使用されている、トイレの便座の一端に、トイレの取っ手をつけ、トイレを使用するとき、トイレの使用用途にあわせ、トイレの取っ手をつかうことにより、便座の上げ下げをしやすくして、トイレを使用しやすくする為のトイレの取っ手。
【考案の詳細な説明】
【技術分野】
【０００１】  本考案は、トイレの便座の一端に、取っ手をつけることにより、便座を上げ下げしやすいようにする為のものです。
【背景技術】
【０００２】  近年、どこのトイレにおいても、便器に便座のついている、すわるタイプのトイレが、設置されており、トイレを使用するとき、使用用途にあわせて、直接便座をもって、便座の上げ下げをすることが、多くなった為。
【考案の概要】
【考案が解決しようとする課題】
【０００３】  現在、トイレを使用するとき、使用用途にあわせて便座を直接もって、便座の上げ下げをしていますが、便座がもちずらかったり、また、便座がよごれていたりしていると、便座をさわるのも、いやな気分がして、取っ手があれば、便座が上げ下げしやすくなり、また、気分的にも、便座を上げ下げしやすくなると、考えました。
【課題を解決するための手段】
【０００４】  現在あるトイレの便座の一端に、トイレの取っ手を、接着できる方法を利用し、便座に取り付けて、トイレの使用用途にあわせて、トイレの取っ手をもち、便座を上げ下げして、トイレを使用しやすくします。
【考案の効果】
【０００５】  トイレの便座に、取っ手をつけることにより、トイレを使用するとき、使用用途にあわせて、便座の上げ下げがしやすくなり、また、便座が多少よごれていても、取っ手をもてばいいので、上げ下げするときに便座にさわりたくない気分も改善できます。
【図面の簡単な説明】
【０００６】
【図１】  トイレの取っ手をつける前の便座の斜視図です。
【図２】  トイレの取っ手をつけた後の便座の斜視図です。
【図３】  便座を上げてトイレを使用するときの便座の斜視図です。
【図４】  便座を下げてトイレを使用するときの便座の斜視図です。
【考案を実施するための形態】
【０００７】  現在使用されているトイレの便座の一端に、接着できる方法を利用して、トイレの取っ手を、便座にとりつける。そして、トイレを使用するときに、使用用途にあわせて、トイレの取っ手をもち、便座の上げ下げをして、トイレを使用する。
【実施例】
【０００８】  図１は、本考案の実施例の斜視図
トイレの取っ手をつける前の便座とトイレの取っ手【０００９】  図２は、本考案の実施例の斜視図
トイレの取っ手をつけた後の便座とトイレの取っ手【００１０】  図３は、本考案の実施例の斜視図
便座を上げて、トイレを使用するときは、トイレの取っ手をもち便座を上に上げて使用する。【００１１】  図４は、本考案の実施例の斜視図
便座を下げて、トイレを使用するときは、トイレの取っ手をもち便座を下に下げて使用する。
【符号の説明】
【００１２】  １  トイレの取っ手
２  トイレの便座
３  トイレの便器
【図１】
0003227043.tif 000003
【図２】
0003227043.tif 000004
【図３】
0003227043.tif 000005
【図４】
0003227043.tif 000006
(57)【要約】      （修正有）【課題】素早く用を済ませることができる頻尿対策パンツを提供する。【解決手段】男性用のパンツの構造を変えて、中間に縦にだぶらせている部分を上部横状のゴムバンド２で横一列のみ固定して、中間、下部は固定しない布３を有する構造とした。用を済ませる時に布が邪魔にならない。【選択図】図１
0003227092.tif 000002
【実用新案登録請求の範囲】
【請求項１】
従来の男性用のパンツの構造を変えて、頻尿対策パンツ（１）として中間に縦にだぶらせている分部を、上部横状のゴムバンド（２）で横一列のみ固定して、中間、下部は固定しないようにして、上部以外固定しない布（３）を有したパンツの構造であり、用を済ませる為には、布が邪魔にならないようにした事を特徴とする頻尿対策パンツ。
【考案の詳細な説明】
【技術分野】
【０００１】
本考案は、現在使用中のパンツでは、時間がかかり頻尿者には苦痛の原因になっている。
時間をかけずに用を済ませるようにした、パンツの構造に関する。
【背景技術】
【０００２】
昔は、大問題とする必要はなかったが、現在の日本の人口は若い人が少なくなり、６５歳以上の人口は、日本全体の人口から判断して割合は多くなり、老人の頻尿者には重要な問題となって来ている。
［特許文献１］特開２０１９−１６２３９８号公報（磁石収納ポケット下着、又はパッド）
［特許文献２］特開２０１１−１１０３９８号公報（装着式貯尿バック）
上記は、公報に開示されているが構造の違いが大きい。
【先行技術文献】
【特許文献】
【０００３】
【特許文献１】特開２０１９−１６２３９８号公報
【特許文献２】特開２０１１−１１０３９８号公報
【考案の概要】
【考案が解決しようとする課題】
【０００４】
年配者の男性の頻尿者は多くなり、仕事をしながら苦しみながら生活をしているのが実体である。
男性用パンツの構造は、中間で横に分かれる構造になっているが左と右を縦にだぶらせている関係で用を済ませるのに時間がかかる。
もう一つは、パンツ・モモヒキ・ズボンと、最低でも３枚〜４枚は、冬期間は欠かせない服装である。尿が近い、尿の回数が多く１日８回以上を頻尿と区別されているが、パンツの構造を何とか解決しなければならない課題である。
【課題を解決するための手段】
【０００５】
課題を解決するために本考案は，以下の構成とした。
従来の男性用のパンツの構造を変えて、（図１）通常のパンツは中間に縦にだぶらせている分部を上部横状のゴムバンド（２）で横一列のみ固定して、中間、下部は固定しないようにした。
従って、頻尿対策パンツ（１）として、上部以外固定しない布（３）を有した構造であり、用を済ませる為には布が邪魔にならない頻尿対策パンツの形状にした。
【考案の効果】
【０００６】
１． 上部以外は針で縫って固定しないため、短時間で用が済むため便利である。
２． 夏は全然無理がなく、冬の厚着の時期にも時間が短縮して使用できる。
【図面の簡単な説明】
【０００７】
【図１】男性用パンツ正面図
【図２】男性用パンツを裏返しにした正面図
【考案を実施するための形態】
【０００８】
以下，本考案を実施するための最良の形態について説明する。
従来の男性用のパンツの構造を変えて、（図１、図２）中間に縦にだぶらせている分部を上部横状のゴムバンド（２）で横一列のみ固定して、中間、下部は固定しないようにした。
上部以外固定しない布（３）として使用出来る形状にした。
【０００９】
従来の男性用のパンツを使用して、若い時には特に気になるものではなかったが、高齢者は年と共に尿回数が多くなり、短時間で用を済ませるようにする事が重要である。
頻尿対策パンツを使用する事により、悩みを解決する事が出来る。
【符号の説明】
【００１０】
（１）     頻尿対策パンツ
（２）     ゴムバンド
（３）     上部以外固定しない布
【図１】
0003227092.tif 000003
【図２】
0003227092.tif 000004
【手続補正書】
【提出日】令和2年4月24日(2020.4.24)
【手続補正１】
【補正対象書類名】実用新案登録請求の範囲
【補正対象項目名】全文
【補正方法】変更
【補正の内容】
【実用新案登録請求の範囲】
【請求項１】
従来の男性用のパンツの構造を変えて、頻尿対策パンツ（１）として中間に縦にだぶ
らせている部分を、上部横状のゴムバンド（２）で横一列のみ固定して、中間、下部
は固定しないようにして、上部以外固定しない布（３）を有したパンツの構造であり、
用を済ませる為には、布が邪魔にならないようにした事を特徴とする頻尿対策パンツ。
(57)【要約】      （修正有）【課題】畜舎等の建築の単純化と建設コストの低減を図るとともに、十分な建物強度を得る建物構造を提供する。【解決手段】山形状の梁１と、柱２と、屋根構造材３と、壁構造材４とを有し、全てはあらかじめ工場で所定の設計で成形した建築部材であって、該屋根構造材３は屋根部材を組み付けて野地・垂木・母屋・桁・断熱などの機能を持ち屋根材とも合体した形状の屋根パネルであって、該壁構造材４は壁部材を組み付け壁板・間柱・貫・断熱などの機能を持ち外壁材とも合体した形状の耐力壁パネルとし、該梁１と該柱２とを門型フレーム状に組み付けるとともに建物基礎に一定間隔で連続配置して建物を構成し、さらには該門型フレーム群の山形状の梁１を小屋組として建物屋根の全面に屋根構造材３を載設し、また壁面全体に壁構造材４を周設し、所定の位置に出入口を設け、畜舎等の建物に成した。【選択図】図３
0003227094.tif 000002
【実用新案登録請求の範囲】
【請求項１】
山形状の梁と、柱と、屋根構造材と、壁構造材とを有し、全てはあらかじめ工場で所定の設計で成形した建築部材であって、該屋根構造材は屋根部材を組み付けて野地・垂木・母屋・桁・断熱などの機能を持ち屋根材とも合体した形状の屋根パネルであって、該壁構造材は壁部材を組み付け壁板・間柱・貫・断熱などの機能を持ち外壁材とも合体した形状の耐力壁パネルとし、該梁と該柱とを門型フレーム状に組み付けるとともに建物基礎に一定間隔で連続配置して建物を構成し、さらには該門型フレーム群の山形状の梁を小屋組として建物屋根の全面に屋根構造材を載設し、また壁面全体に壁構造材を周設し、所定の位置に出入口を設け、畜舎等の建物に成したことを特徴とする畜舎等の建物構造。
【考案の詳細な説明】
【技術分野】
【０００１】  本考案は、畜舎等の建物構造に関する。【０００２】  ここに述べる畜舎等とは、畜産あるいは養殖のための建物・小屋である。
【背景技術】
【０００３】  従来より、畜舎等の建物構造には様々な工夫がされてきている。【０００４】  しかしながら、設計の複雑化や建築部材の高騰などから、より単純・安価に、しかも十分な建物強度を持つ畜舎等の建設が求められていた。
【先行技術文献】
【特許文献】
【０００５】
【非特許文献１】「畜舎等の建築をめぐる状況」，農林水産省，２０１９年５月，資料１−１
【考案の概要】
【考案が解決しようとする課題】
【０００６】  本考案は、畜舎等の建築の単純化と建設コストの低減を図るとともに、十分な建物強度を得ることができる畜舎等の建物構造を提供しようとするものである。
【課題を解決するための手段】
【０００７】  山形状の梁１と、柱２と、屋根構造材３と、壁構造材４とを有し、全てはあらかじめ工場で所定の設計で成形した建築部材であって、該屋根構造材３は屋根部材を組み付けて野地・垂木・母屋・桁・断熱などの機能を持ち屋根材とも合体した形状の屋根パネルであって、該壁構造材４は壁部材を組み付け壁板・間柱・貫・断熱などの機能を持ち外壁材とも合体した形状の耐力壁パネルとし、該梁１と該柱２とを門型フレーム状に組み付けるとともに建物基礎に一定間隔で連続配置して建物を構成し、さらには該門型フレーム群の山形状の梁１を小屋組として建物屋根の全面に屋根構造材３を載設し、また壁面全体に壁構造材４を周設し、所定の位置に出入口５を設け、畜舎等の建物６に成した。
【考案の効果】
【０００８】  本考案によれば、事前に工場で成形した建築部材を現場で組立するのみの作業工程であることから、建築時間が大幅に短縮されるとともに、屋根構造・壁構造においてはパネル工法を用いた構造としたことで、建物全体に十分な強度が期待できる。【０００９】  また、柱と梁とを一体に組み付けて小屋組も兼ねた山形状の門型フレームとしたことで、中柱を不要とする建物設計が期待できる。【００１０】  また、山形状の梁に一定強度を持たせることで小屋組の手間を省くことが期待できる。【００１１】  また、屋根構造は屋根部材を組み付けた屋根パネルとしたことで、野地・垂木・母屋・桁・断熱・屋根材などを個別に取り付けする手間を省くことが期待できる。【００１２】  また、壁構造は壁部材を組み付けた耐力壁パネルとしたことで、壁板・間柱・貫・断熱・外壁材などを個別に取り付けする手間を省くことが期待できる。
【図面の簡単な説明】
【００１３】
【図１】  本考案に於ける畜舎等の建物の概念を表した斜視図である。
【図２】  本考案に於ける畜舎等の建物を構成する門型フレームの形状を表す正面図である。
【図３】  本考案に於ける畜舎等の建物構造を略説明する側面図である。
【考案を実施するための形態】
【００１４】  以下、本考案の実施の形態について、図面を参照して説明する。
図１・図２・図３に示すように、山形状の梁１と、柱２と、屋根構造材３と、壁構造材４とを有し、全てはあらかじめ工場で所定の設計で成形した建築部材であって、該屋根構造材３は屋根部材を組み付けて野地・垂木・母屋・桁・断熱などの機能を持ち屋根材とも合体した形状の屋根パネルであって、該壁構造材４は壁部材を組み付け壁板・間柱・貫・断熱などの機能を持ち外壁材とも合体した形状の耐力壁パネルとし、該梁１と該柱２とを門型フレーム状に組み付けるとともに建物基礎に一定間隔で連続配置して建物を構成し、さらには該門型フレーム群の山形状の梁１を小屋組として建物屋根の全面に屋根構造材３を載設し、また壁面全体に壁構造材４を周設し、所定の位置に出入口５を設け、畜舎等の建物６に成した。
【符号の説明】
【００１５】１    梁
２    柱
３    屋根構造材
４    壁構造材
５    出入口
６    畜舎等の建物
【図１】
0003227094.tif 000003
【図２】
0003227094.tif 000004
【図３】
0003227094.tif 000005
(57)【要約】      （修正有）【課題】使い捨てマスクに対応して、フィルターとして使用可能なマスクカバーを提供する。【解決手段】対応サイズのマスク２の耳の部分を切ってフィルターとして使用可能なマスクカバー１であって、マスクカバーは両方に耳に引っ掛ける布５を縫い合わせてあり、使い捨てマスクの耳の部分を担い、また、二枚の生地で構成されており立体感がある。【選択図】図１
0003227956.tif 000002
【実用新案登録請求の範囲】
【請求項１】
使い捨てマスク（１２．５＊８．５）（１２．５＊８）に対応する。（以下対応のサイズマスクと呼ぶ）対応サイズのマスクの耳の部分を切ってフィルターとして使用可能なマスクカバーまたこのマスクカバーは両方に耳に引っ掛ける布を縫い合わせてあり、使い捨てマスクの耳の部分を担うまた二枚の生地で構成されており立体感があること特徴とするマスクカバー
【考案の詳細な説明】
【技術分野】
【０００１】      本考案は、対応サイズのマスクがフィルターとして使用可能なマスクカバーであり、マスクカバーに関するものである。
【背景技術】
【０００２】近年のコロナウイルスの世界的な流行のため使い捨てマスクが不足しており、また医療現場でも深刻な不足を招いている故に効率的な使い捨てマスク使用必要とされている。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】    使い捨てマスクの世界的な不足または、従来技術にかかるマスクカバーまたはインナーマスクは、使い捨てマスクを使うものにおいても、使い捨てマスクの耳の部分の劣化、使い捨てマスクへのウイルスの付着止めることが困難である、また、使い捨てマスクの使用しない布マスクなどにおいても咳やくしゃみなどで飛び散るしぶきを止める効果は見込まれるが使い捨てマスクのようにウイルスの侵入を防ぐような効果はあまり見られないとゆう欠点があった。
【課題を解決するための手段】    本考案は、上記課題を解決するためになされたものであり、本考案は対応サイズのマスクであればフィルターとしてマスクカバー内部にしまい込むことができ肌や外の空気に触れることを最小限にできることによりウイルスの付着のリスクや劣化のスピード大きく下げることにつながる、また使い捨てマスクをフィルターとして使いことで布マスクなどに比べ大きくウイルスの侵入のリスク下げることにもつながる。
【考案の効果】    本考案によって使い捨てマスクの不足を解決、ウイルスの付着防止、劣化防止またウイルス感染拡大防止につながる。
【図面の簡単な説明】
【図１】本考案の表側を書いた立体図である
【図２】本考案の裏側を書いた立体図である
【考案を実施するための形態】
本考案のマスクカバーの内部に対応サイズのマスクの耳の部分を切って内部にしまい込んで使う、また使用後には、マスクカバーと内部のフィルターとして使う対応サイズのマスクも洗い清潔に保つ。
【実施例】上記のように管理して、咳やくしゃみのしぶきを止めるため使用または、ウイルスや花粉など対策として公共の場や家などで実施する。
【産業上の利用可能性】ガーゼなどの感染症拡大時に不足する生地を必要とせず、綿から作るため布マスクなどの基本的にガーゼを必要とするものに比べて生産コストが下がりやすい
【符号の説明】［１］  マスクカバー本体［２］  対応サイズのマスク［３］  上側の縫い目［４］  下側の縫い目［５］  マスクカバー本体の耳かけ部分［６］  横の縫い目［７］  結び目［８］  中央の縫い目
【図１】
0003227956.tif 000003
【図２】
0003227956.tif 000004
(57)【要約】      （修正有）【課題】栞およびクリップの機能を有した取り外し可能な下敷を内装したメモを提供する。【解決手段】重ねた記入用の紙片の一側辺の内寄りにあけた複数の並設した穴にリング状の金属を通すことで綴られているメモにおいて、リング状の金属を係入するための切込部及び切込部に続く係止孔部が形成され、このリング状の金属に取り付け及び取り外しが可能で、インデックス部と舌片が設けられた下敷を装着して成る。【選択図】図１
0003227944.tif 000002
【実用新案登録請求の範囲】
【請求項１】
筆記用に用いられるメモであって、重ねた記入用の紙片の一側辺の内寄りにあけた複数の並設した穴にリング状の金属を通すことで綴られているメモにおいて、このリング状の金属に取り付け及び取り外しが可能な下敷を装着していることを特徴とするメモ。
【請求項２】
前記下敷は、紙葉に適合した下敷となる平面部と、この平面と連続した右辺部の少なくとも一部に、平面方向に突出したインデックス部が設けられていることを特徴とする請求項1記載のメモ。
【請求項３】
前記下敷は、前期インデックス部の内寄りに他側辺へ向かう切溝を設け、同切溝に形成される舌片下に紙片を挿入しうるようにしていることを特徴とする請求項1又は2記載のメモ。
【考案の詳細な説明】
【技術分野】
【０００１】
本考案は、下敷を内装するメモに関するものである。
【背景技術】
【０００２】
従来知られているメモは、記入用の紙片を重ねた一片を糊で固着してなるメモや、記入用の紙片を重ねた後に紙片の一側辺の内寄りにあけた複数の並設した穴にリング状の金属を通すことで綴られているメモである。最近では大きさや形状が異なるメモも知られているが、いずれも紙面に筆記するだけの機能のみであった。よって最近 では必ずしも充分に顕著な独創性・斬新性を表出しなくなってきていて、いずれもマンネ リ化を払拭し切れない状態になっているとしか言いようのないもののみである。
【考案の概要】
【考案が解決しようとする課題】
【０００３】
そこで、本考案は上記現実に鑑み、充分に顕著な独創性および斬新性を表出してマンネリ化を払拭する工夫およびその他の工夫を施した新規のメモを提供することを目的とする。
【課題を解決するための手段】
【０００４】
上記目的を達成するために本考案に係るメモは、リング状の金属で綴じられたメモに、栞およびクリップ機能を持った下敷を取り外しが可能な形で装着している。従って、筆圧により次頁の紙面に跡が残るという問題を一つの商品の中で解決するとともに、さらに複数の付加価値が加えられている。
【考案の効果】
【０００５】
本考案に係るメモは、上記のようにインデックス部と舌片を設けた下敷を内装することにより、利用者は紙面に筆記する旧来からの機能に加えて下敷の機能も享受できるとともに、当該下敷を栞として使用する或いは数枚の紙片を束ねるクリップとして使用する等の使い方が可能なものであり、マンネリ化を払拭するという所期の目的を完全に達成できる著効を奏するものである。
【図面の簡単な説明】
【０００６】
【図１】図１は、本考案メモと、内装される前の下敷との画像である。
【図２】図２は、本考案メモに下敷を取り付けないし取り外し過程の画像である。
【図３】図３は、本考案メモに下敷を装着している画像である。
【図４】図４は、本考案メモに下敷を装着して最上部に位置させた画像である。
【図５】図５は、本考案メモの紙片数枚を下敷の舌片間に挿入途中の画像である。
【図６】図６は、本考案メモの紙片数枚を下敷の舌片間に挿入した画像である。
【図７】図７は、本考案メモの紙片数枚を舌片間に挿入した下敷を持ち上げている画像である。
【実施例１】
【０００７】
図１は、本考案メモに内装される下敷を取り外した状態であって、取り付けと取り外しが簡単にできる。
【０００８】
図２は、本考案メモに下敷を取り付け或いは取り外しをしている途中の画像であって、リングに取り付け片を簡単に装着できる。
【０００９】
図３と図４は、本考案メモに下敷を装着完了した状態を示している。
【００１０】
図５と図６と図７は、本考案メモの紙片数枚を下敷の舌片下に挿入した状態を示し、特定の紙片をすぐに見つけたい使用者のニーズを満たすことにおおいに役立つ。
【図１】
0003227944.tif 000003
【図２】
0003227944.tif 000004
【図３】
0003227944.tif 000005
【図４】
0003227944.tif 000006
【図５】
0003227944.tif 000007
【図６】
0003227944.tif 000008
【図７】
0003227944.tif 000009
【手続補正書】
【提出日】令和2年6月24日(2020.6.24)
【手続補正１】
【補正対象書類名】実用新案登録請求の範囲
【補正対象項目名】請求項１
【補正方法】変更
【補正の内容】
【請求項１】
筆記用に用いられるメモであって、重ねた記入用の紙片の一側辺の内寄りに
あけた複数の並設した穴にリング状の金属を通すことで綴られているメモにお
いて、このリング状の金属を係入するための切込部及びこの切込部に続く係
止孔部が形成されると共に、前記切込部と前記係止孔部間により、このリング
状の金属への取り付け及び取り外しが可能な下敷を装着していることを特徴
とするメモ。
(57)【要約】      （修正有）【課題】装飾部材となりうる素材を汎用的に内蔵させる引き手具を提供する。【解決手段】底面がない引き手具構成部材に対して、底板をネジ止めして固定し、意匠部材を底板の上に配置し、当該意匠部材がネジ止めされる底板と合わせて一体化する。意匠部材の上に透明な樹脂板４を配置する。【選択図】図３
0003227981.tif 000002
【実用新案登録請求の範囲】
【請求項１】
底面がない引き手具構成部材に対して、底板をネジ止めして固定することを特徴とする引き手具。
【請求項２】
意匠部材を底板の上に配置し、当該意匠部材がネジ止めされる底板と合わせて一体化することを特徴とする請求項１に記載の引き手具。
【請求項３】
意匠部材の上に透明な樹脂板を配置することを特徴とする請求項２に記載の引き手具。
【請求項４】
底板と透明な樹脂板の間に挟み込まれる意匠部材が無生物天然素材、乾燥植物の一部、動物の非腐乱部の一部、あるいはそれらの組み合わせであることを特徴とする請求項３に記載の引き手具。
【請求項５】
底板と透明な樹脂に直接描画あるいは加工されていることを特徴とする請求項３に記載の引き手具。
【考案の詳細な説明】
【技術分野】
【０００１】  本考案は、建築用および家具用の引き手具において、装飾部材となりうる素材を汎用的に内蔵させる引き手具に関するものである。
【背景技術】
【０００２】  建築用もしくは家具用の引き手具は、従来金属加工や木工加工あるいはプラスチック成形などによって、引き手具の土台素材と同じか親和性の高い素材によって意匠的要素を加味させて製品化されていた。
【考案の概要】
【考案が解決しようとする課題】
【０００３】  通常、金属製の引き手具であれば金属の細工によって、木製の引き手具であれば木工や彫刻によって、引き手具の意匠はなされてきた。しかしこれでは自ずと表現力の限界があり、新しい発想の創意工夫もなされず、商品的価値も発展的に広げることが出来なかった。このような事態は結局、引き手具を構成する材質に対する自由度の限界性によって、表現力や意匠的工夫、商品価値の制約があった為であった。
【課題を解決するための手段】
【０００４】  本考案は、引き手具における意匠的工夫や商品価値を拡充するために、単に加工法などの高度化によって展開する従来的な発送を改め、異なった素材や従来用いられてこなかった表現法を積極的に取り入れ、意匠的工夫を大きく展開させる発想の転換を行った。【０００５】  具体的には、引き手具における意匠的工夫に関する素材の制約を大きく取り払い、さまざまな素材、別分野の工芸的工夫を引き手具の意匠に取り込むために、引き手具底面部に透明樹脂板をネジ止めなどで配置し、真の底板との間に間隙を設け、その間隙部に従来用いられてこなかった素材を配置し新たな意匠的表現を凝らすこととした。
【考案の効果】
【０００６】  上述のような意匠的工夫に関する素材選択の自由度の拡張によって、従来の引き手具ではあり得なかったような新たな表現力が生まれた。例えば伝統工芸品である織物、染め物、刺繍、組紐、和紙工芸品、水引などをそのまま引き手具の意匠に取り込むことが出来るようになり、更には大理石の薄板、木目の美しい黒柿の薄板、鳥の羽、植物の葉脈標本など、あらゆる天然素材を引き手具の意匠価値の向上に寄与させることが出来るようになった。
【図面の簡単な説明】
【０００７】
【図１】本考案の引き手具の断面略図
【図２】本考案の別の形態の引き手具の断面略図
【図３】各種素材を挟み込んだ場合の断面図
【考案を実施するための形態】
【０００８】  本考案の引き手具では、底面部を分離型としその底面板をネジ止めすることを基本としている。ここで引き手具には施工上で許容されるスペースが極めて狭く、そのために従来の引き手具では狭い許容領域の中で自ずと工夫の限度もあったのだが、本考案では許容領域に納めつつ十分な強度を維持するために、図１のように分離された底板をネジ止めにした。これによって図２のように底面に対して平行に透明樹脂板を配置することも可能になり、この透明樹脂板によって形成された間隙に種々の意匠素材を挟み込むことで一体化された引き手具全体の表現力が更に増した。また透明樹脂版には、意匠的価値を高めるために透明性をあえて減じたり、塗装、描画、切削、研磨、線刻、別素材の貼り付けなどを加える場合もある。
【実施例】
【０００９】引きの底板と透明樹脂版の間の間隙には、伝統工芸品である織物、染め物、刺繍、組紐、和紙工芸品、水引など、染め物に使う型紙、更には大理石の薄板、木目の美しい黒柿の薄板、鳥の羽、植物の葉脈標本など、あらゆる意匠的価値を取り込むことが出来る。
【符号の説明】
【００１０】１  引き手具構成部材
２  底板
３  意匠部材
４  透明な樹脂板
５  ネジ穴およびネジ
【図１】
0003227981.tif 000003
【図２】
0003227981.tif 000004
【図３】
0003227981.tif 000005